(57)【要約】【課題】より少ない空気清浄効率の低下量で小型化が可能な空気清浄装置である。【解決手段】空気清浄装置１０は、空気Ｘの流路上に設けられ、光触媒を設けた光触媒モジュールと光触媒に放電光を照射するとともにオゾンを生成する放電電極とを有する空気清浄部と、前記光触媒モジュールに空気Ｘを所要の流速で送風するファンと、前記空気清浄部およびファンを収納するとともに空気Ｘの吸気口１５および排気口１６を有する収納ケース１３とを備え、収納ケース１３の形状を、吸気口１５を有する面１４ａの面積が他の面１４ｂよりも大きくなる形状とした。【選択図】  図１
2005156070.tif 000002
【特許請求の範囲】
【請求項１】
空気の流路上に設けられ、光触媒を設けた光触媒モジュールと前記光触媒に放電光を照射するとともにオゾンを生成する放電電極とを有する空気清浄部と、前記光触媒モジュールに空気を所要の流速で送風するファンと、前記空気清浄部およびファンを収納するとともに空気の吸気口および排気口を有する収納ケースとを備え、前記収納ケースの形状を、前記吸気口を有する面の面積が他の面よりも大きくなる形状としたことを特徴とする空気清浄装置。
【請求項２】
空気の流路上に設けられ、光触媒を設けた光触媒モジュールと前記光触媒に放電光を照射するとともにオゾンを生成する放電電極とを有する空気清浄部と、前記光触媒モジュールに空気を所要の流速で送風するシロッコファンとを備えたことを特徴とする空気清浄装置。
【請求項３】
前記ファンをシロッコファンで構成したことを特徴とする請求項１記載の空気清浄装置。
【請求項４】
前記収納ケースの吸気口に吸気側整流機構を設けたことを特徴とする請求項１記載の空気清浄装置。
【請求項５】
前記収納ケースの排気口に排気側整流機構を設けたことを特徴とする請求項１記載の空気清浄装置。
【請求項６】
前記収納ケースにダクトを設け、ダクトの他端を排気口としたことを特徴とする請求項１記載の空気清浄装置。
【請求項７】
前記空気清浄部を複数の空気清浄モジュールで構成したことを特徴とする請求項１または２記載の空気清浄装置。
【請求項８】
前記流路に吸着フィルタを設けたことを特徴とする請求項１または２記載の空気清浄装置。
【請求項９】
前記流路に芳香剤放出機構を設けたことを特徴とする請求項１または２記載の空気清浄装置。
【請求項１０】
前記流路にグラフト重合物質放出機構を設けたことを特徴とする請求項１または２記載の空気清浄装置。
【請求項１１】
前記流路にグラフト重合物質モジュールを設けたことを特徴とする請求項１または２記載の空気清浄装置。
【請求項１２】
前記光触媒モジュールを、光触媒モジュールの空気の流入側における面と空気の流れ方向とが垂直でない角度となるように設けたことを特徴とする請求項１または２記載の空気清浄装置。
【発明の詳細な説明】
【技術分野】
【０００１】
本発明は、放電光を照射して活性化した光触媒とオゾンの作用により空気に含まれる分解対象物質を除去して清浄、脱臭あるいは除菌する空気清浄装置に係り、特に、小型の空気清浄装置に関する。
【背景技術】
【０００２】
従来、放電電極からの放電光により光触媒を活性化させて、空気中の分解対象物質を除去して空気を清浄あるいは脱臭する装置として図１４に示す空気清浄装置が提案される（例えば特許文献１参照）。
【０００３】
従来の空気清浄装置１は、三次元網目状のセラミックス基体に光触媒を担持させた光触媒モジュール２を、一対の金属電極３、３で挟持した構成である。金属電極３、３間には、電源４が設けられ、電圧が印加される。金属電極３、３間に所要の電圧が印加されると放電光とともにオゾンが発生し、光触媒モジュール２が担持する光触媒が活性化せしめられる。
【０００４】
金属電極３、３で挟持された光触媒モジュール２は、空気Ｘが流れる流路５中に設けられる。このため、光触媒モジュール２内を通過する空気Ｘは、光触媒およびオゾンの作用により清浄あるいは脱臭される。
【０００５】
この際、適切な流速の空気Ｘの流れを流路５中に形成することにより、より効率的に光触媒モジュール２に空気Ｘを導くために、空気Ｘの流路上には送風器６が設けられる。
【特許文献１】特開２００３−３１０７３１号公報（第１頁−第８頁、図１参照）
【発明の開示】
【発明が解決しようとする課題】
【０００６】
一般に、空気Ｘの流路５はエアコンや換気扇等の空調設備と接続され、自動車の車両内あるいは建造物や装置の挟隙部に設けられる。このため、特に車両に空気清浄装置１を搭載するような場合には、装置の小型化が必要となる。
【０００７】
しかし、空気清浄装置１の小型化に伴って空気Ｘの吸気口の大きさが減少するため、単位時間あたりに清浄できる空気Ｘの量が減少する。さらに、吸気口の大きさが小さい場合には、吸気口における空気Ｘの流速とともに光触媒モジュール２を通過する空気Ｘの流速が必要以上に増加するため、空気Ｘの清浄効率が低下するという問題がある。さらに、このような空気Ｘの清浄効率の低下は、電源４において消費される電力の増加に繋がる。
【０００８】
本発明はかかる従来の事情に対処するためになされたものであり、より少ない空気清浄効率の低下量で小型化が可能な空気清浄装置を提供することを目的とする。
【課題を解決するための手段】
【０００９】
本発明に係る空気清浄装置は、上述の目的を達成するために、請求項１に記載したように、空気の流路上に設けられ、光触媒を設けた光触媒モジュールと前記光触媒に放電光を照射するとともにオゾンを生成する放電電極とを有する空気清浄部と、前記光触媒モジュールに空気を所要の流速で送風するファンと、前記空気清浄部およびファンを収納するとともに空気の吸気口および排気口を有する収納ケースとを備え、前記収納ケースの形状を、前記吸気口を有する面の面積が他の面よりも大きくなる形状としたことを特徴とするものである。
【００１０】
また、本発明に係る空気清浄装置は、上述の目的を達成するために、請求項２に記載したように、空気の流路上に設けられ、光触媒を設けた光触媒モジュールと前記光触媒に放電光を照射するとともにオゾンを生成する放電電極とを有する空気清浄部と、前記光触媒モジュールに空気を所要の流速で送風するシロッコファンとを備えたことを特徴とするものである。
【発明の効果】
【００１１】
本発明に係る空気清浄装置においては、より少ない空気清浄効率の低下量で装置の小型化を図ることができる。
【発明を実施するための最良の形態】
【００１２】
本発明に係る空気清浄装置の実施の形態について添付図面を参照して説明する。
【００１３】
図１は本発明に係る空気清浄装置の第１の実施形態を示す斜視図であり、図２は図１に示す空気清浄装置の内部構成を示す斜視図である。
【００１４】
空気清浄装置１０は、ファン１１、空気清浄部１２を収納ケース１３に収納した構成である。
【００１５】
収納ケース１３には、空気Ｘの吸気口１５と排気口１６が設けられる。収納ケース１３の形状は、空気Ｘの吸入口を設けた面の面積が、他の面、例えば空気Ｘの排気口１６を設けた面の面積よりも大きい形状とされる。すなわち、収納ケース１３の面積がより大きい面上の任意の部分に空気Ｘの吸気口１５が設けられて吸気面１４ａとされる。さらに、例えば収納ケース１３の面積がより小さい面の任意の部分に空気Ｘの排気口１６が設けられる。ただし、収納ケース１３の吸気口１５を有する面と同じ面の縁部分や局所的な部位に排気口１６を設けてもよい。
【００１６】
つまり、収納ケース１３は、空気Ｘの吸気口１５の面積をより大きく確保できる形状とされる。この結果、収納ケース１３は薄型形状となり、収納ケース１３の大きさが一定であれば厚さと広さとの比が大きい程、空気Ｘの吸気口１５の面積をより大きく確保できる。
【００１７】
収納ケース１３は、例えば、５０ｍｍ程度の薄型の板状あるいは箱型形状とされ、面積がより広い面である縦横方向で定まる面に複数のスリット状の吸気口１５が設けられて吸気面１４ａとされ、他の面は非吸気面１４ｂとされる。さらに、例えば面積がより小さい非吸気面１４ｂである厚さ方向に平行な面に排気口１６が設けられる。ただし、収納ケース１３の形状は任意であり、空気Ｘの吸気口１５の面積がより大きく確保できる形状であれば、テーパ板状、円板状、段差付の板状、瓦状等の形状であってもよい。
【００１８】
また、収納ケース１３の吸気口１５の数や形状も任意であるが、異物の流入を抑止でき、より大量の空気Ｘを低コンダクタンスで吸気できる形状が望ましい。このため、収納ケース１３の吸気口１５は、例えば多数のスリットで構成することができる。一方、収納ケース１３の排気口１６の位置は吸気口１５の確保に影響を与えない部位であれば任意である。
【００１９】
ファン１１は、例えば回転中心部分にファン吸込口１７を有し、円周方向にファン送風口１８を有するタイプのファン１１が用いられる。ファン１１のファン吸込口１７は、収納ケース１３の吸気口１５に向けて配置され、ファン１１のファン送風口１８側には、空気清浄部１２が設けられる。
【００２０】
また、ファン１１には、例えばカゴ状の羽根を有する薄型のシロッコファン１９が用いられ、シロッコファン１９の回転中心部位のファン吸込口１７から空気Ｘを取り込んで回転による遠心力で空気Ｘを円周方向に設けられたファン送風口１８に吐き出すように構成される。
【００２１】
図３は、図２に示すシロッコファン１９の分解構造図である。
【００２２】
シロッコファン１９は、ファンケーシング２０にカゴ状の羽根を有する羽根車２１を収納して構成される。羽根車２１の回転中心部分に対応するファンケーシング２０の部位にはファン吸込口１７が設けられ、羽根車２１の周上に相当するファンケーシング２０の部位には、ファン送風口１８が設けられる。羽根車２１は図示しないモータにより回転し、ファンケーシング２０のファン吸込口１７から取り込まれた空気Ｘが、羽根車２１の回転による遠心力で羽根車２１の円周部分に導かれて一定の流速に加速された後、ファンケーシング２０のファン送風口１８から吐き出されるようにした構造である。
【００２３】
ただし、ファン１１には、シロッコファン１９に限らずターボファンやプレートファン等のファン１１を用いてもよい。
【００２４】
空気清浄部１２は、放電電極２２および光触媒モジュール２３を備える。光触媒モジュール２３は、三次元網目状のセラミックス基体に光触媒を担持させて構成される。光触媒モジュール２３は、ファン１１のファン送風口１８側に形成された空気Ｘの流路２４上に設けられ、光触媒モジュール２３を空気Ｘが通過できるように構成される。
【００２５】
放電電極２２は、図示しない電源から電圧が印加されることにより放電光とともにオゾンを発生させ、発生させた放電光に含まれる紫外線を光触媒モジュール２３が担持する光触媒に照射して活性化できるように構成される。放電電極２２に電圧を印加するための電源は、収納ケース１３内部であっても外部であってもよい。
【００２６】
尚、紫外線を光触媒モジュール２３の光触媒に照射可能であれば、放電電極２２の形状および位置は任意である。さらに、光触媒モジュール２３は、三次元網目状のセラミックス基体に光触媒を担持させる構成のみならず、光触媒と空気Ｘが接触可能な構成であればよい。
【００２７】
また、光触媒モジュール２３の下流側の流路２４は収納ケース１３の排気口１６に導かれる。
【００２８】
次に空気清浄装置１０の作用を説明する。
【００２９】
空気清浄装置１０は、薄型であるため、例えば自動車の車両内あるいは建造物や装置の挟隙部に設けることができる。そして、シロッコファン１９等のファン１１が駆動することにより、自動車の車両内あるいは建造物内部において清浄あるいは脱臭すべき空気Ｘが、収納ケース１３の吸気口１５からファン１１のファン吸込口１７を経由してファンケーシング２０内部の羽根車２１の回転中心近傍に導かれる。
【００３０】
ここで、収納ケース１３の吸気口１５は、収納ケース１３の広い面に十分な数あるいは大きさで設けられるため、小型であってもより大きな流量の空気Ｘを収納ケース１３内部に導くことができる。さらに、空気Ｘの流速の過剰な加速を抑制し、より適切な流速で空気Ｘをファンケーシング２０内部の羽根車２１の回転中心近傍に導くことができる。
【００３１】
さらに、羽根車２１の回転による遠心力で羽根車２１の円周部分に導かれて所要の流速に制御された後、ファンケーシング２０のファン送風口１８から吐き出される。
【００３２】
ここで、シロッコファン１９を用いた場合には、ターボファンやプレートファン等の他のファン１１を用いた場合に比べて、より低い風圧であっても大きな風量の空気Ｘを送風することができる。さらに、ターボファンやプレートファン等の他のファン１１を用いた場合に比べて、構造上ファン吸込口１７をより大きくとることができる。このため、シロッコファン１９を用いれば、他のファン１１を用いた場合に比べて、より小型あるいは薄型であっても効率的に空気Ｘを加速させて所要の流速の流れを形成させることができる。
【００３３】
換言すれば、同程度の性能であれば、ファン１１としてシロッコファン１９を用いることにより、他のファン１１を用いた場合に比べて、ファン１１のサイズを小型化あるいは薄型化して空気清浄装置１０全体のサイズをより小さくすることができる。
【００３４】
一方、放電電極２２には、電圧が印加される。このため、放電電極２２から放電光とともにオゾンが発生し、放電光に含まれる紫外線が光触媒モジュール２３のセラミックス基体に担持された光触媒に照射される。この結果、光触媒は、紫外線により活性化する。
【００３５】
そして、ファン１１のファン送風口１８から吐き出された空気Ｘは、所要の流速で光触媒モジュール２３に導かれる。光触媒モジュール２３の内部に導かれた空気Ｘは、活性化した光触媒およびオゾンの作用により清浄あるいは脱臭される。すなわち、光触媒およびオゾンの作用により空気Ｘに含まれる臭いの原因となる物質や有害物質等の分解対象物質が分解される。
【００３６】
ここで、光触媒モジュール２３における空気Ｘの流速は、ファン１１により適切な流速に制御されるため、効率的に空気Ｘを清浄あるいは脱臭することができる。
【００３７】
図４は、図２に示す光触媒モジュール２３の設置例を示す図である。
【００３８】
さらに図４に示すように光触媒モジュール２３の空気Ｘの流入側における面と空気Ｘの流れ方向とが垂直でない角度θとなるように光触媒モジュール２３を流路２４上に設置することにより、より大きな光触媒モジュール２３を設けて空気Ｘと光触媒モジュール２３との接触面積である有効面積並びに空気Ｘが光触媒モジュール２３を通過する際の距離を増加させることができる。このため、空気清浄装置１０を小型化しても空気Ｘの清浄あるいは脱臭効率を維持あるいは向上させることができる。
【００３９】
そして、光触媒モジュール２３を通過して清浄あるいは脱臭された空気Ｘは、収納ケース１３の厚さ方向に平行な狭い側の面に設けられた排気口１６に導かれて排気される。
【００４０】
以上のような空気清浄装置１０によれば、より少ない空気清浄効率の低下量で装置の小型化が可能である。すなわち、空気Ｘの清浄あるいは脱臭効率を維持しつつ空気清浄装置１０を自動車の車両内あるいは建造物や装置の挟隙部等の部位に設けることができる。
【００４１】
この際、空気清浄装置１０は、薄型であり空気Ｘの吸気口１５を十分なサイズで確保することができるため、立方体状や箱状のように小型であっても薄型でない装置に比べてより大きな流量の空気Ｘを単位時間あたりに清浄あるいは脱臭することができる。さらに、空気Ｘの吸気口１５における過剰な流速の増加を抑制し、一旦空気清浄装置１０に取り込んだ空気Ｘを効率的に清浄あるいは脱臭することができる。この結果、空気清浄装置１０によれば、装置を小型化したとしても、清浄効率の低下量を低減させてより少ない電力消費で空気Ｘを清浄あるいは脱臭させることができる。
【００４２】
また、ファン１１としてシロッコファン１９を用いることにより、同程度のサイズの他のファン１１を用いた場合に比べて、空気Ｘの風圧が低い場合であっても、より大容量の空気Ｘを光触媒モジュール２３に導いて清浄あるいは浄化することができる。このため、空気清浄装置１０全体を小型化ないし薄型化することができる。
【００４３】
図５は本発明に係る空気清浄装置の第２の実施形態を示す分解構成図である。
【００４４】
図５に示された、空気清浄装置１０Ａでは、空気清浄部１２Ａを複数の空気清浄モジュール３０で構成した点が図１に示す空気清浄装置１０と相違する。他の構成および作用については図１に示す空気清浄装置１０と実質的に異ならないため同一の構成については同符号を付して説明を省略する。
【００４５】
空気清浄装置１０Ａの空気清浄部１２Ａは、複数の例えば２つの空気清浄モジュール３０を配置して構成される。空気清浄モジュール３０の配置方法は、空気Ｘの流れ方向に直列であっても並列であってもよい。各空気清浄モジュール３０は、それぞれ放電電極２２および光触媒モジュール２３を備える。すなわち、空気清浄モジュール３０は、図１に示す空気清浄部１２を小型モジュール化したものである。
【００４６】
ここで、空気清浄モジュール３０は、収納ケース１３の厚さ方向の配置数を少なくする一方、収納ケース１３の厚さに垂直な方向の配置数が多く設定される。すなわち、複数の空気清浄モジュール３０が、収納ケース１３の厚さと広さとの比を大きすることができるように配置される。
【００４７】
空気清浄装置１０Ａのように構成することにより、空気清浄装置１０の効果に加え、製造を容易にすることができる。すなわち、空気清浄装置１０Ａ全体を薄型としつつ、放電電極２２および光触媒モジュール２３は薄型とせずに、製造容易な形状あるいは構造とすることができる。さらに、空気清浄装置１０Ａ全体を薄型とした場合であっても電力供給を容易にできる構造とすることができる。
【００４８】
このため、空気清浄装置１０Ａによれば、収納ケース１３の形状をより扁平にして大きな吸気口１５を設け、空気Ｘの清浄および脱臭効率を向上させて電力消費を低減させることができる。さらに、空気清浄装置１０Ａの用途に応じて空気清浄モジュール３０の数や位置を調節することにより、空気Ｘの清浄あるいは脱臭能力を容易に調整することができる。
【００４９】
図６は本発明に係る空気清浄装置の第３の実施形態を示す斜視図である。
【００５０】
図６に示された、空気清浄装置１０Ｂでは、収納ケース１３にダクト４０を設けた点が図１に示す空気清浄装置１０と相違する。他の構成および作用については図１に示す空気清浄装置１０と実質的に異ならないため同一の構成については同符号を付して説明を省略する。
【００５１】
空気清浄装置１０Ｂでは、収納ケース１３の排気側にダクト４０を設け、ダクト４０の他端に排気口１６が設けられる。このため、空気清浄装置１０Ｂによれば、空気清浄装置１０の効果に加え、清浄あるいは脱臭前の空気Ｘと清浄あるいは脱臭後における空気Ｘを分離させて、所要の位置に清浄あるいは脱臭後の空気Ｘを排気させることができる。
【００５２】
図７は本発明に係る空気清浄装置の第４の実施形態を示す斜視図、図８は図７に示す空気清浄装置１０Ｃの正面図である。
【００５３】
図７に示された、空気清浄装置１０Ｃでは、収納ケース１３の吸気口１５および排気口１６にそれぞれ吸気側整流機構５０および排気側整流機構５１を設けた点が図１に示す空気清浄装置１０と相違する。他の構成および作用については図１に示す空気清浄装置１０と実質的に異ならないため同一の構成については同符号を付して説明を省略する。
【００５４】
空気清浄装置１０Ｃでは、収納ケース１３の吸気口１５に空気Ｘの流れに一様な方向性を持たせるための吸気側整流機構５０が設けられる。同様に、収納ケース１３の排気口１６に空気Ｘの流れに一様な方向性を持たせるための排気側整流機構５１が設けられる。
【００５５】
このため、空気清浄装置１０Ｃでは、空気清浄装置１０の効果に加え、より適切な空気Ｘの流れを形成させることができる。さらに、空気清浄装置１０Ｃでは、空気Ｘの流速制御以外に消費されるエネルギ損失量を低減させて消費電力を低減させることができる。
【００５６】
図９は本発明に係る空気清浄装置の第５の実施形態を示す分解構成図である。
【００５７】
図９に示された、空気清浄装置１０Ｄでは、空気Ｘの流路２４に吸着フィルタ６０を設けた点が図１に示す空気清浄装置１０と相違する。他の構成および作用については図１に示す空気清浄装置１０と実質的に異ならないため同一の構成については同符号を付して説明を省略する。
【００５８】
空気清浄装置１０Ｄでは、空気Ｘの流路２４、例えば光触媒モジュール２３の下流側に吸着フィルタ６０が設けられる。吸着フィルタ６０は、空気Ｘに含まれる塵埃や有害物質等の物質や物体を吸着させて捕捉させる機能を有する。
【００５９】
このため、空気清浄装置１０Ｄによれば、空気清浄装置１０の効果に加え、装置の小型化により空気Ｘの清浄あるいは脱臭能力が低下したとしても吸着フィルタ６０の作用により清浄能力あるいは脱臭能力の低下量を低減させることができる。すなわち、吸着フィルタ６０を光触媒モジュール２３の下流側に設けた場合には、光触媒モジュール２３において分解されずに通過した物質や物体を捕捉できる一方、光触媒モジュール２３の上流側に設けた場合には、塵埃等の光触媒モジュール２３で分解困難な物質や物体を予め捕捉し、光触媒モジュール２３の目詰まりを防止することができる。
【００６０】
図１０は本発明に係る空気清浄装置の第６の実施形態を示す分解構成図である。
【００６１】
図１０に示された、空気清浄装置１０Ｅでは、空気Ｘの流路２４に芳香剤放出機構７０を設けた点が図１に示す空気清浄装置１０と相違する。他の構成および作用については図１に示す空気清浄装置１０と実質的に異ならないため同一の構成については同符号を付して説明を省略する。
【００６２】
空気清浄装置１０Ｅでは、空気Ｘの流路２４、例えば光触媒モジュール２３の下流側に芳香剤放出機構７０が設けられる。芳香剤放出機構７０は、芳香剤を放出する機能を有する。芳香剤を放出することにより、脱臭前の空気Ｘあるいは光触媒モジュール２３において脱臭されずに通過した空気Ｘをいわゆるマスキング法により消臭することができる。すなわち、芳香剤が臭い分子を包み込むか、芳香剤が臭い分子の周囲に点在することにより空気Ｘが消臭される。
【００６３】
このため、空気清浄装置１０Ｅによれば、空気清浄装置１０の効果に加え、装置の小型化により空気Ｘの脱臭能力が低下したとしても芳香剤の消臭作用により脱臭能力の低下量を低減させることができる。
【００６４】
尚、芳香剤放出機構７０を収納ケース１３の外部に設けて管により芳香剤を空気Ｘの流路２４に放出する構成としてもよい。
【００６５】
図１１は本発明に係る空気清浄装置の第７の実施形態を示す分解構成図である。
【００６６】
図１１に示された、空気清浄装置１０Ｆでは、空気Ｘの流路２４にグラフト重合物質放出機構８０を設けた点が図１に示す空気清浄装置１０と相違する。他の構成および作用については図１に示す空気清浄装置１０と実質的に異ならないため同一の構成については同符号を付して説明を省略する。
【００６７】
空気清浄装置１０Ｆでは、空気Ｘの流路２４、例えば光触媒モジュール２３の下流側にグラフト重合物質放出機構８０が設けられる。グラフト重合物質放出機構８０は、グラフト重合物質を放出する機能を有する。
【００６８】
図１２は、図１１に示すグラフト重合物質放出機構８０から放出されるグラフト重合物質の模式図である。
【００６９】
グラフト重合物質９０は、ブドウ糖等の材料で構成した基材９１に官能基であるグラフト鎖９２を設けた構造である。グラフト重合物質９０のグラフト鎖９２は、特定の物質や成分を捕捉することにより清浄あるいは脱臭する機能を有する。このようなグラフト重合物質９０は、例えば基材９１に電子線を照射することによりラジカルを生成し、生成したラジカルにグラフト鎖９２を設けるグラフト重合法により製造される。
【００７０】
このため、空気清浄装置１０Ｆによれば、空気清浄装置１０の効果に加え、装置の小型化により空気Ｘの清浄あるいは脱臭能力が低下したとしてもグラフト重合物質９０の清浄あるいは脱臭作用により清浄あるいは脱臭能力の低下量を低減させることができる。さらに、グラフト重合物質９０は、特定の物質や成分のみを捕捉する性質があるため、清浄あるいは脱臭する必要のない芳香剤等の成分を捕捉せずに選択的に臭い物質や有害物質等の物質を清浄あるいは脱臭することができる。
【００７１】
尚、グラフト重合物質放出機構８０を収納ケース１３の外部に設けて管によりグラフト重合物質９０を空気Ｘの流路２４に放出する構成としてもよい。
【００７２】
図１３は本発明に係る空気清浄装置の第８の実施形態を示す分解構成図である。
【００７３】
図１３に示された、空気清浄装置１０Ｇでは、空気Ｘの流路２４にグラフト重合物質モジュール１００を設けた点が図１に示す空気清浄装置１０と相違する。他の構成および作用については図１に示す空気清浄装置１０と実質的に異ならないため同一の構成については同符号を付して説明を省略する。
【００７４】
空気清浄装置１０Ｇでは、空気Ｘの流路２４、例えば光触媒モジュール２３の下流側にグラフト重合物質モジュール１００が設けられる。グラフト重合物質モジュール１００は、グラフト重合物質９０をシート状、網目状、ハニカム状等の任意形状の基材にグラフト重合物質９０を担持させた構成でありグラフト重合物質９０の作用による清浄フィルタとして機能する。グラフト重合物質モジュール１００は、空気Ｘがグラフト重合物質９０と接触可能な構造であれば任意の構造とすることができる。
【００７５】
このため、空気清浄装置１０Ｇによれば、空気清浄装置１０Ｆと同様な効果に加え、空気Ｘにグラフト重合物質９０を混在させることなく空気Ｘを排気できる。さらに、光触媒モジュール２３の上流側にグラフト重合物質モジュール１００を設けることが容易となる。
【００７６】
尚、各実施形態における空気清浄装置１０、１０Ａ、１０Ｂ、１０Ｃ、１０Ｄ、１０Ｅ、１０Ｆ、１０Ｇを組合わせて構成してもよい。例えば、光触媒ユニットの空気排出側に吸着フィルタおよびグラフト重合物質放出機構８０の双方を設けてもよい。
【図面の簡単な説明】
【００７７】
【図１】本発明に係る空気清浄装置の第１の実施形態を示す斜視図。
【図２】図１に示す空気清浄装置の内部構成を示す斜視図。
【図３】図２に示すシロッコファンの分解構造図。
【図４】図２に示す光触媒モジュールの設置例を示す図。
【図５】本発明に係る空気清浄装置の第２の実施形態を示す分解構成図。
【図６】本発明に係る空気清浄装置の第３の実施形態を示す斜視図。
【図７】本発明に係る空気清浄装置の第４の実施形態を示す斜視図。
【図８】図７に示す空気清浄装置の正面図。
【図９】本発明に係る空気清浄装置の第５の実施形態を示す分解構成図。
【図１０】本発明に係る空気清浄装置の第６の実施形態を示す分解構成図。
【図１１】本発明に係る空気清浄装置の第７の実施形態を示す分解構成図。
【図１２】図１１に示すグラフト重合物質放出機構から放出されるグラフト重合物質の模式図。
【図１３】本発明に係る空気清浄装置の第８の実施形態を示す分解構成図。
【図１４】従来の空気清浄装置の構成図。
【符号の説明】
【００７８】
１０、１０Ａ、１０Ｂ、１０Ｃ、１０Ｄ、１０Ｅ、１０Ｆ、１０Ｇ  空気清浄装置
１１  ファン
１２、１２Ａ  空気清浄部
１３  収納ケース
１４ａ  吸気面
１４ｂ  非吸気面
１５  吸気口
１６  排気口
１７  ファン吸込口
１８  ファン送風口
１９  シロッコファン
２０  ファンケーシング
２１  羽根車
２２  放電電極
２３  光触媒モジュール
２４  流路
３０  空気清浄モジュール
４０  ダクト
５０  吸気側整流機構
５１  排気側整流機構
６０  吸着フィルタ
７０  芳香剤放出機構
８０  グラフト重合物質放出機構
９０  グラフト重合物質
９１  基材
９２  グラフト鎖
１００  グラフト重合物質モジュール
Ｘ  空気
【図１】
2005156070.tif 000003
【図２】
2005156070.tif 000004
【図３】
2005156070.tif 000005
【図４】
2005156070.tif 000006
【図５】
2005156070.tif 000007
【図６】
2005156070.tif 000008
【図７】
2005156070.tif 000009
【図８】
2005156070.tif 000010
【図９】
2005156070.tif 000011
【図１０】
2005156070.tif 000012
【図１１】
2005156070.tif 000013
【図１２】
2005156070.tif 000014
【図１３】
2005156070.tif 000015
【図１４】
2005156070.tif 000016